(57)【要約】本発明は、上り回線、下り回線並びに上り回線及び下り回線のそれぞれにおいて主信号の伝送方向と反対方向に監視制御信号を伝送する監視制御回線を有する端局装置間のパケット伝送システムにおいて、前記上り回線又は下り回線における前記主信号のパケットフレームのオーバヘッド情報を、前記下り回線又は上り回線の監視制御回線を用いて伝送するように構成されている。
2004051897.tif 000002
【特許請求の範囲】
【請求項１】
上り回線、下り回線、並びに上り回線及び下り回線のそれぞれにおいて主信号の伝送方向と反対方向に監視制御信号を伝送する監視制御回線を有する端局装置間のパケット伝送システムにおいて、
前記上り回線又は下り回線における前記主信号のパケットフレームのオーバヘッド情報を、前記下り回線又は上り回線の監視制御回線を用いて伝送することを特徴とするパケット伝送システム。
【請求項２】
前記下り回線又は上り回線の監視制御回線を、前記上り回線又は下り回線における前記主信号のパケットフレームのオーバヘッド情報の予備回線として使用することを特徴とする請求項１記載のパケット伝送システム。
【請求項３】
前記端局装置は、前記主信号のパケットフレームをＤＷフレームに変換して、波長分割多重して送信することを特徴とする請求項１又は２記載のパケット伝送システム。
【請求項４】
上り回線、下り回線、並びに上り回線及び下り回線のそれぞれにおいて双方向に監視制御信号を伝送する監視制御回線を有する端局装置間のパケット伝送システムにおいて、
前記上り回線又は下り回線における主信号のパケットフレームのオーバヘッド情報を、前記下り回線又は上り回線の監視制御回線を用いて伝送することを特徴とするパケット伝送システム。
【請求項５】
前記上り回線又は下り回線における前記主信号のパケットフレームのオーバヘッド情報は、ＤＣＣ情報を含むオーバヘッド情報であることを特徴とする請求項４記載のパケット伝送システム。
【請求項６】
上り回線、下り回線並びに上り回線及び下り回線のそれぞれにおいて主信号の伝送方向と反対方向に監視制御信号を伝送する監視制御回線を有するパケット伝送システムにおける端局装置において、
当該端局装置及び伝送回線を監視及び制御する監視制御装置を有し、
該監視制御装置は、前記上り回線又は下り回線における前記主信号のパケットフレームのオーバヘッド情報を、前記下り回線又は上り回線の監視制御回線を用いて送信することを特徴とする端局装置。
【請求項７】
前記監視制御装置は、前記上り回線又は下り回線がダウンしたときに、前記主信号パケットフレームのオーバヘッド情報を、前記下り回線又は上り回線の監視制御回線を用いて送信することを特徴とする請求項６記載の端局装置。
【請求項８】
前記上り回線又は下り回線における前記主信号のパケットフレームのオーバヘッド情報は、ＤＣＣ情報を含むオーバヘッド情報であることを特徴とする請求項６又は７記載の端局装置。
【請求項９】
パケットフレームに係るパケットフレーム信号処理部とパケットフレームをＤＷフレームに変換するＤＷインタフェース部とを有すことを特徴とする請求項６ないし８いずれか一項記載の端局装置。
【請求項１０】
前記パケット処理部とＤＷインタフェース部とを同一の基板上に構成したことを特徴とする請求項９記載の端局装置。
【請求項１１】
前記監視制御装置は、
トランスパレント処理部とオーバヘッド生成・検出部とを有し、
トランスパレント処理部は、パケット処理部のオーバヘッド抽出部からパケットのヘッダ情報を受けて、該パケットのヘッダ情報を、パケット処理部のオーバヘッド挿入部と前記オーバヘッド生成・検出部に送出し、
前記オーバヘッド生成・検出部は、受け入れたパケットのヘッダ情報を監視制御回線を用いて送信することを特徴とする請求項６ないし１０いずれか一項記載の端局装置。
【請求項１２】
上り回線、下り回線、並びに上り回線及び下り回線のそれぞれにおいて双方向に監視制御信号を伝送する監視制御回線を有する端局装置間のパケット伝送システムにおける端局装置であって、
当該端局装置及び伝送回線を監視及び制御する監視制御装置を有し、
該監視制御装置は、前記上り回線又は下り回線における主信号のパケットフレームのオーバヘッド情報を、前記下り回線又は上り回線の監視制御回線を用いて伝送することを特徴とする端局装置。
【請求項１３】
前記上り回線又は下り回線における前記主信号のパケットフレームのオーバヘッド情報は、ＤＣＣ情報を含むオーバヘッド情報であることを特徴とする請求項１２記載の端局装置。
【発明の詳細な説明】
【技術分野】  本発明は、パケット伝送システム及び端局装置に係り、特に、上り回線、下り回線並びに上り回線及び下り回線のそれぞれにおいて主信号の伝送方向と反対方向に監視制御信号を伝送する監視制御回線を有する端局装置間のパケット伝送システム及び該パケット伝送システムにおける端局装置に関する。
【背景技術】  近年、光波長多重伝送システムにおいて、設備コストを低減するため、中継局に光／電気変換装置を用いずに、直接、光増幅器を用いて光信号を増幅している。これにより、中継局のコストを低減すると共に伝送距離が長くなり、光波長多重における長距離伝送が可能となった。
将来的には、光ＡＤＭ（ＯＡＤＭ：Ｏｐｔｉｃａｌ  Ａｄｄ  Ｄｒｏｐ  Ｍｕｌｔｉｐｌｅｘ）や、光ＸＣ（ＯＸＣ：Ｏｐｔｉｃａｌ  Ｃｒｏｓｓ  Ｃｏｎｎｅｃｔ）が実現されると、中継局で、光／電気変換を行うこと無く、光波長多重信号によるＷＤＭ（Ｗａｖｅｌｅｎｇｔｈ  Ｄｉｖｉｓｉｏｎ  Ｍｕｌｔｉｐｌｅｘｉｎｇ）ネットワークの構築が期待できるため、光波長多重伝送における片方向伝送の重要度が大きくなってきている。
ところで、光波長多重伝送における片方向伝送を確実に行うには、監視制御信号を用いて、伝送の監視又は制御を行っている。
従来の技術として、例えば、特開平５−２９２０８３号公報に記載された発明は、主信号とは別の波長を監視制御信号として用いている。この監視制御信号に、ＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）フレームのオーバヘッドをマッピングして、主信号の伝送方向に伝送させて、各光中継器の監視制御を行う。この監視制御信号は、フレーム長４８バイトデータ、３８４ｋｂｉｔ／ｓの伝送速度である。フレーム周期は、１ミリ秒となる。フレーム内には、受信先装置ＩＤ、送信元装置ＩＤ、警報情報領域、ＦＣＳ（Ｆｒａｍｅ  Ｃｈｅｃｋ  Ｓｅｑｕｅｎｃｅ）領域、光増幅中継器セクションＡＩＳ（Ａｌａｒｍ  ＩｎｄｉｃａｔｉｏｎＳｉｇｎａｌ）領域、オーダーワイヤ領域、ＤＣＣ（Ｄａｔａ  Ｃｏｍｍｕｎｉｃａｔｉｏｎ  Ｃｈａｎｎｅｌ）領域が存在する。
特開平５−２９２０８３に記載された発明は、ＳＯＮＥＴ／ＳＤＨにおける高度な管理機能を利用するために、各光中継器間をセクション、終端装置間をラインとみなして、監視制御信号にＳＯＮＥＴ／ＳＤＨのＡＩＳ、オーダーワイヤ、ＤＣＣ等のオーバヘッドを割り当てている。
しかしながら、特開平５−２９２０８３号公報に記載された発明は、監視制御信号の冗長性を考慮していない。そのため、特開平５−２９２０８３号公報に記載された発明は、ファイバ断などの障害に対応するために、例えば１＋１の予備回線を準備するとすれば、ほぼ、システムを２系統用意するのと変わらない設備コストがかかり、安易に予備回線のシステムを組めないという問題がある。
また、特開平５−２９２０８３号公報に記載された発明は、監視制御信号の双方向伝送を考慮していない。そのため、特開平５−２９２０８３号公報に記載された発明において、監視制御信号の双方向伝送を実現するには、必ず主信号の双方向伝送が必要になり、システム的に余計な設備コストを生じるという問題がある。
【発明の開示】
本発明は、上記問題に鑑みなされたものであり、改良された伝送システム及び端局装置を提供することを総括的な目的とする。
本発明の詳細な目的は、安価に監視制御信号を確実に伝送できる伝送システム及び端局装置を提洪することを目的とする。
この目的を達成するために、本発明は、上り回線、下り回線、並びに上り回線及び下り回線のそれぞれにおいて主信号の伝送方向と反対方向に監視制御信号を伝送する監視制御回線を有する端局装置間のパケット伝送システムであって、
前記上り回線又は下り回線における前記主信号のパケットフレームのオーバヘッド情報を、前記下り回線又は上り回線の監視制御回線を用いて伝送するように構成する。
また、この目的を達成するために、本発明は、上り回線、下り回線、並びに上り回線及び下り回線のそれぞれにおいて双方向に監視制御信号を伝送する監視制御回線を有する端局装置間のパケット伝送システムであって、
前記上り回線又は下り回線における主信号のパケットフレームのオーバヘッド情報を、前記下り回線又は上り回線の監視制御回線を用いて伝送するように構成する。
また、この目的を達成するために、本発明は、上り回線、下り回線、並びに上り回線及び下り回線のそれぞれにおいて主信号の伝送方向と反対方向に監視制御信号を伝送する監視制御回線を有するパケット伝送システムにおける端局装置であって、
当該端局装置及び伝送回線を監視及び制御する監視制御装置を有し、
該監視制御装置は、前記上り回線又は下り回線における前記主信号のパケットフレームのオーバヘッド情報を、前記下り回線又は上り回線の監視制御回線を用いて送信するように構成する。
また、この目的を達成するために、本発明は、上り回線、下り回線、並びに上り回線及び下り回線のそれぞれにおいて双方向に監視制御信号を伝送する監視制御回線を有する端局装置間のパケット伝送システムにおける端局装置であって、
当該端局装置及び伝送回線を監視及び制御する監視制御装置を有し、
該監視制御装置は、前記上り回線又は下り回線における主信号のパケットフレームのオーバヘッド情報を、前記下り回線又は上り回線の監視制御回線を用いて伝送するように構成する。
【図面の簡単な説明】  本発明の他の目的、特徴及び利点は添付の図面を参照しながら、以下の説明を読むことにより、一層明瞭となるであろう。
図１は、第１及び第２の実施例のシステム構成図（その１）を説明するための図である。
図２は、第１及び第２の実施例のシステム構成図（その２）を説明するための図である。
図３は、送信側ＳＯＮＥＴ／ＤＷインタフェース盤におけるＳＯＮＥＴフレーム信号処理部の例を説明するための図である。
図４は、送信側ＳＯＮＥＴ／ＤＷインタフェース盤におけるＤＷインタフェース部の例を説明するための図である。
図５は、受信側ＳＯＮＥＴ／ＤＷインタフェース盤におけるＤＷインタフェース部の例を説明するための図である。
図６は、受信側ＳＯＮＥＴ／ＤＷインタフェース盤におけるＳＯＮＥＴフレーム信号処理部の例を説明するための図である。
図７（Ａ）は、上り回線側のＷＤＭ装置の例を説明するための図である。
図７（Ｂ）は、下り回線側のＷＤＭ装置の例を説明するための図である。
図８は、第３の実施例のシステム構成図（その１）を説明するための図である。
図９は、第３の実施例のシステム構成図（その２）を説明するための図である。
図１０は、ＤＷを説明するための図である。
図１１は、ＯＴＮのレイヤを説明するための図（その１）である。
図１２は、ＯＴＮのレイヤを説明するための図（その２）である。
図１３は、ＯＣｈ  トランスポート  ユニットのフレーム構成を説明するための図である。
図１４は、ＯＣｈ  データ  ユニットにおける１〜１６バイトに挿入されるヘッダの内容を説明するための図である。
図１５は、監視制御信号の伝送フォーマットを説明するための図（その１）である。
図１６は、監視制御信号の伝送フォーマットを説明するための図（その２）である。
図１７は、監視制御信号の伝送フォーマットを説明するための図（その３）である。
【発明を実施するための最良の形態】  以下、本発明の実施の形態を図面に基づいて説明する。
（第１の実施例）
第１の実施例では、ＳＯＮＥＴフレームのオーバヘッド情報を、現用回線が故障のとき、予備回線を利用して、相手端局に送信する。
なお、本件明細書において、ＳＯＮＥＴには、ＳＤＨを含むものとして説明する。
（構成）
図１及び図２に第１の実施例のシステム構成図の例を示す。図１及び図２のシステムは、下流側終端局１、上流側終端局２、上り回線側ＷＤＭ（Ｗａｖｅｌｅｎｇｔｈ  Ｄｉｖｉｓｉｏｎ  Ｍｕｌｔｉｐｌｅｘｉｎｇ）装置１１及び下り回線側ＷＤＭ装置１４から構成されている。上り回線側ＷＤＭ１１及び下り回線側ＷＤＭ装置１４は、主信号と監視制御信号に対する中継機能を有する。上り回線側ＷＤＭ１１及び下り回線側ＷＤＭ装置１４で、増幅が行われても、行われなくても、本実施例は実施できる。
また、下流側終端局１は、上り回線の送信側ＳＯＮＥＴ／ＤＷ（Ｄｉｇｉｔａｌ  Ｗｒａｐｐｅｒ）インタフェース盤１０、ＳＯＮＥＴ／ＤＷ監視制御部１２及び下り回線の受信側ＳＯＮＥＴ／ＤＷインタフェース盤１３から構成されている。
なお、上り回線の送信側ＳＯＮＥＴ／ＤＷインタフェース盤１０及び下り回線の受信側ＳＯＮＥＴ／ＤＷインタフェース盤１３は、Ｎ（Ｎは、１以上の自然数である。）枚であるのに対し、ＳＯＮＥＴ／ＤＷ監視制御部１２は、下流側終端局１において、１つである。なお、各上り回線の送信側ＳＯＮＥＴ／ＤＷインタフェース盤１０には、ＳＯＮＥＴフレーム信号が光波長に乗せられて供給され、下流側終端局１からは、ＤＷフレームの波長多重（多重数：Ｎ）光信号が、ＷＤＭ装置側に送信される。また、主信号の伝送方向と反対方向に監視制御信号を伝送する監視制御回線を有している。
つまり、上り回線の主信号は、実線の太線で示され、下り回線の主信号は、破線の太線で示されている。また、上り回線の監視制御信号回線は、実線の細線で示され、下り回線の監視制御信号回線は、破線の細線で示されている。
また、下流側終端局１における上り回線の送信側ＳＯＮＥＴ／ＤＷインタフェース盤１０は、ＳＯＮＥＴフレーム信号を受信するＳＯＮＥＴフレーム受信部１０１、ＳＯＮＥＴフレームのオーバヘッドの抽出、挿入等を行うＳＯＮＥＴフレーム信号処理部１０２、ＳＯＮＥＴフレームをＤＷフレームに変換するＤＷインタフェース部１０３及びＤＷフレーム信号を送信するＤＷフレーム信号送信部１０４から構成されている。
なお、ＳＯＮＥＴ／ＤＷインタフェース盤１０におけるＳＯＮＥＴフレーム信号処理部１０２は、図３に示すように、ＳＯＮＥＴフレームのオーバヘッドバイトを抽出するＯＨＢ抽出部１０２１、受信信号に対して、ラインクロックから終端局のシステムクロックに乗り換えるＣＬＫ乗換部１０２２及びクロックが変換された信号にオーバヘッドバイトを挿入するＯＨＢ挿入部１０２３から構成されている。ＯＨＢ挿入部１０２３は、自局又は他局のオーバヘッドを挿入する。
また、ＳＯＮＥＴ／ＤＷインタフェース盤１０におけるＤＷインタフェース部１０３は、図４に示すように、ＳＯＮＥＴフレームをＤＷフレームに変換するＳＯＮＥＴ／ＤＷフレーム変換部１０３１及びＤＷフレームにＤＷフレームのオーバヘッドバイトを挿入するＯＨＢ挿入部１０３２を有する。
図１に戻って、ＳＯＮＥＴ／ＤＷ監視制御部１２は、オーバヘッドをトランスパレント処理するトランスパアレント処理部１２１、ＳＯＮＥＴフレーム及びＤＷフレームのオーバヘッドの生成及び抽出を行うＯＨ情報生成・抽出部１２２並びに監視制御信号を送信及び受信する監視制御信号送受信部１２３から構成されている。なお、ＯＨ情報生成・抽出部１２２は、ＳＯＮＥＴ／ＤＷインタフェース盤の数だけ有する。
また、下流側終端局１の受信側ＳＯＮＥＴ／ＤＷインタフェース盤１３は、ＳＯＮＥＴフレーム信号を送信するＳＯＮＥＴフレーム送信部１３１、ＳＯＮＥＴフレームのオーバヘッドの抽出、挿入等を行うＳＯＮＥＴフレーム信号処理部１３２、ＤＷフレームをＳＯＮＥＴフレームに変換するＤＷインタフェース部１３３及びＤＷフレーム信号を受信するＤＷフレーム信号受信部１３４から構成されている。
また、下流側終端局１の受信側ＳＯＮＥＴ／ＤＷインタフェース盤１３におけるＤＷインタフェース部１３３は、図５に示すように、ＤＷフレームのオーバヘッドバイトを抽出するＯＨＢ抽出部１３３１、受信信号に対して、ラインクロックから終端局のシステムクロックに乗り換えるＣＬＫ乗換部１３３２及びＤＷフレームをＳＯＮＥＴフレームに変換するＤＷ／ＳＯＮＥＴフレーム変換部１３３３を有する。
また、下流側終端局１の受信側ＳＯＮＥＴ／ＤＷインタフェース盤１３におけるＳＯＮＥＴフレーム信号処理部１３２は、図６に示すように、ＳＯＮＥＴフレームのオーバヘッドバイトを抽出するＯＨＢ抽出部１３２１及びＳＯＮＥＴフレームにオーバヘッドバイトを挿入するＳＯＮＥＴフレームのＯＨＢ挿入部１３２２から構成されている。
図２における上流側終端局２は、上り回線の受信側ＳＯＮＥＴ／ＤＷインタフェース盤１５、ＳＯＮＥＴ／ＤＷ監視制御部１６及び下り回線の送信側ＳＯＮＥＴ／ＤＷインタフェース盤１７から構成されている。
なお、上流側終端局２における上り回線の受信側ＳＯＮＥＴ／ＤＷインタフェース盤１５、ＳＯＮＥＴ／ＤＷ監視制御部１６及び下り回線の送信側ＳＯＮＥＴ／ＤＷインタフェース盤１７は、下流側終端局１における下り回線の受信側ＳＯＮＥＴ／ＤＷインタフェース盤１３、ＳＯＮＥＴ／ＤＷ監視制御部１２及び上り回線の送信側ＳＯＮＥＴ／ＤＷインタフェース盤１０と同様の構成であるので、説明を省略する。
（動作）
図１及び図２のシステムでは、オーバヘッド情報を、現用回線が故障のとき、予備回線を利用して、相手端局に送信する。なお、予備回線として、主信号と反対方向に伝送される監視制御回線を利用する。つまり、上り回線の予備回線は、下り回線の監視制御回線を利用し、下り回線の予備回線は、上り回線の監視制御回線を利用する。
更に、具体的に説明すれば、上り回線では、
▲１▼主回線（実線の太線）によるオーバヘッドの伝送を現用回線とし、
▲２▼下り回線における監視制御信号回線（実線の細線）によるオーバヘッドの伝送を予備回線とする。
同様に、下り回線では、
▲３▼主回線（破線の太線）によるオーバヘッドの伝送を現用回線とし、
▲４▼上り回線における監視制御信号回線（破線の細線）によるオーバヘッドの伝送を予備回線とする。
これにより、受信側の終端局にて、オーバヘッド情報の現用／予備の切り替えを行う。このように、第１の実施例は、監視制御回線を利用して、監視制御信号に関して簡易な現用・予備構成を実現することができる。
図１の動作を説明する。上り回線と下り回線とは、上り回線の構成と下り回線の構成とが対称的にシステム構成されているので、ここでは、上り回線の動作を中心に説明し、下り回線の説明は省略する。
下流側終端局１に供給された複数のＳＯＮＥＴフレーム信号は、送信側ＳＯＮＥＴ／ＤＷインタフェース盤１０に印加される。
先ず、主信号の流れを説明する。上り回線の送信側ＳＯＮＥＴ／ＤＷインタフェース盤１０では、供給されたＳＯＮＥＴフレーム信号がＤＷフレーム信号に変換され、ＤＷフレーム信号送信部１０４から、光波長多重信号として送信される。
図３及び図４を用いて、詳しく説明すれば、供給されたＳＯＮＥＴフレーム信号は、ＳＯＮＥＴフレームのＯＨＢ抽出部１０２１でＳＯＮＥＴフレームのオーバヘッドバイトが抽出される。抽出されたオーバヘッド情報は監視制御部１２のトランスパアレント処理部１２１に供給される一方、オーバヘッドが除去されたペイロード（データ部）は、ＣＬＫ乗換部１０２２に供給される。ＣＬＫ乗換部１０２２で、受信されたペイロード（データ部）がラインクロックから端局装置のシステムクロックに変換される。次いで、ＳＯＮＥＴフレームのＯＨ挿入部１０２３は、除去されたオーバヘッド情報を監視制御部１２のトランスパアレント処理部１２１から受け、そのオーバヘッド情報を、ＣＬＫ乗換部１０２２によりシステムクロックに変換されたペイロード（データ部）に付加することにより、ＳＯＮＥＴフレーム信号が生成される。
このＳＯＮＥＴフレーム信号は、更に、ＳＯＮＥＴ／ＤＷフレーム変換部１０３１によりＤＷフレームに変換され、次いで、ＤＷフレームのＯＨＢ挿入部１０３２でＤＷのオーバヘッドバイトが挿入され、生成されたＤＷフレームが、ＤＷフレーム信号送信部１０４から光波長多重信号として送信される。
ＤＷフレーム信号送信部１０４により光波長多重信号として送信されて光波長多重信号は、上り回線側のＷＤＭ装置１１で増幅されて、上流側終端局２に伝送される。
上り回線側のＷＤＭ装置１１は、図７（Ａ）に示すように、光波長多重／分配機能を有する光終端装置（ＴＥＲＭ：Ｔｅｒｍｉｎａｌ）５１、５３及び光増幅機能を有する光中継装置（ＩＬＡ：Ｉｎ  Ｌｉｎｅ  Ａｍｐｌｉｆｉｅｒ）５２から構成されている。なお、下り回線側のＷＤＭ装置１４を、図７（Ｂ）に示す。
上り回線側のＷＤＭ装置１１で増幅された光波長多重信号は、図２の下り回線終端端局２に供給される。
上流側終端局２は、受信した光波長多重されたＤＷフレームを、上り回線の受信側ＳＯＮＥＴ／ＤＷインタフェース盤１５におけるＤＷフレーム信号受信部１３４が受信する。ＤＷフレーム信号受信部１３４で受信されたＤＷフレームから、ＯＨＢ抽出部１３３１（図５参照）は、ＤＷフレームのオーバヘッドバイトを抽出する。次いで、ＯＨＢ抽出部１３３１で、ＤＷフレームのオーバヘッドバイトが除去されたデータを、ＣＬＫ乗換部１３３２に供給して、受信したデータのクロックをラインクロックから終端局のシステムクロックに変換する。次いで、システムクロックに変換されたデータについて、ＤＷ／ＳＯＮＥＴフレーム変換部１３３３により、ＤＷフレームをＳＯＮＥＴフレームに変換する。次いで、ＯＨＢ抽出部１３２１（図６参照）が、ＳＯＮＥＴフレームに変換されたＳＯＮＥＴフレームから、ＳＯＮＥＴフレームのオーバヘッドバイトを抽出する。抽出されたオーバヘッド情報は監視制御部１６のトランスパアレント処理部１２１に供給される一方、オーバヘッドが除去されたデータは、ＳＯＮＥＴフレームのＯＨＢ挿入部１３２２に供給される。次いで、ＳＯＮＥＴフレームのＯＨＢ挿入部１３２２は、除去されたオーバヘッド情報を監視制御部１６のトランスパアレント処理部１２１から受け、そのオーバヘッド情報を、ＯＨＢ抽出部１３２１によりオーバヘッドが除去されたデータに付加することにより、ＳＯＮＥＴフレーム信号が生成される。生成されたＳＯＮＥＴフレーム信号は、ＳＯＮＥＴフレーム送信部１３１から送信される。
次に、上り回線が断した場合について説明する。この場合、下流側終端局１は、上り回線におけるＳＯＮＥＴフレームのオーバヘッド情報を、下り回線の監視制御回線に多重化して乗せ、上流側終端局２に送信する。
下流側終端局１におけるＳＯＮＥＴ／ＤＷ監視制御部１２におけるトランスパアレント処理部１２１は、ＳＯＮＥＴ／ＤＷインタフェース盤１０のＯＨＢ抽出部１０２１から供給されたＳＯＮＥＴフレームのオーバヘッド情報を一旦記憶し、同じ内容のオーバヘッド情報を、ＳＯＮＥＴ／ＤＷインタフェース盤１０のＯＨ挿入部１０２３に返すと共に、予備回線の伝送用に、ＯＨ情報生成・抽出部１２２に供給する。
監視制御部１２は、常時、上り回線及び下り回線を監視しており、監視制御信号送受信部１２３から、上り回線及び下り回線の監視制御信回線を用いて、監視制御信号を送信している。このような状態において、上り回線が断となると、ＳＯＮＥＴ／ＤＷ監視制御部１２が、上り回線の断を検出し、その監視制御信号送受信部１２３が、下り回線の監視制御回線に、上り回線のＳＯＮＥＴフレームのオーバヘッド情報をマッピングして、下り回線側ＷＤＭ装置１４に向けて送信する。監視制御信号送受信部１２３から送信された上り回線のＳＯＮＥＴフレームのオーバヘッド情報をマッピングした監視制御信号は、下り回線側のＷＤＭ装置１４で増幅されて、上流側終端局２に伝送される。
上流側終端局２の監視制御信号送受信部１２３は、上り回線のＳＯＮＥＴフレームのオーバヘッド情報がマッピングされた監視制御信号受信して、ＯＨ情報生成・抽出部１２２に送出する。ＯＨ情報生成・抽出部１２２は、受取った監視制御信号から、上り回線のＳＯＮＥＴフレームのオーバヘッド情報を抽出する。抽出した上り回線のＳＯＮＥＴフレームのオーバヘッド情報は、トランスパアレント処理部１２１に送出される。トランスパアレント処理部１２１は、ＯＨ情報生成・抽出部１２２から供給されたＳＯＮＥＴフレームのオーバヘッド情報を記憶して利用する。
これにより、上流側終端局２は、主回線が断の状態でも、主信号のオーバヘッド情報を獲得することができる。
なお、抽出した上り回線のＳＯＮＥＴフレームのオーバヘッド情報を、必要に応じて、上り回線の受信側ＳＯＮＥＴ／ＤＷインタフェース盤１５のＳＯＮＥＴフレームのＯＨＢ挿入部１３２２に供給するようにしてもよい。
（第２の実施例）
第１の実施例は、現用回線が故障しているとき、予備回線を利用して、オーバヘッド情報を相手端局に送信するものであった。
しかしながら、第１の実施例におけるシステムは、監視制御回線を、予備回線として利用するのではなく、常時、監視制御信号を伝送して、監視制御信号の伝送を確実に行うようにすることもできる。
つまり、上り回線のＳＯＮＥＴフレームのオーバヘッド情報を主信号に乗せて、下流側終端局１から上流側終端局２に伝送すると共に、下り回線の監視制御回線を利用して、上り回線のＳＯＮＥＴフレームのオーバヘッド情報を監視制御信号に乗せて、伝送するようにしてもよい。
このように、第２の実施例は、監視制御回線を利用して、ＳＯＮＥＴフレームのオーバヘッド情報に関して、簡易な冗長構成を実現することができる。
第１の実施例と異なる構成と動作について説明する。
下流側終端局１におけるＳＯＮＥＴ／ＤＷ監視制御部１２におけるトランスパアレント処理部１２１は、ＳＯＮＥＴ／ＤＷインタフェース盤１０のＯＨＢ抽出部１０２１から供給されたＳＯＮＥＴフレームのオーバヘッド情報を一旦記憶し、同じ内容のオーバヘッド情報を、ＳＯＮＥＴ／ＤＷインタフェース盤１０のＯＨ挿入部１０２３に返すと共に、常時、ＯＨ情報生成・抽出部１２２にも供給する。
ＯＨ情報生成・抽出部１２２は、常時、ＯＨＢ抽出部１０２１から供給されたＳＯＮＥＴフレームのオーバヘッド情報を受けて、上り回線のＳＯＮＥＴフレームのオーバヘッド情報を、監視制御信号にマッピングする。監視制御信号送受信部１２３は、上り回線のＳＯＮＥＴフレームのオーバヘッド情報をマッピングされた監視制御信号を、下り回線側ＷＤＭ装置１４に向けて送信する。
監視制御信号送受信部１２３から送信された上り回線のＳＯＮＥＴフレームのオーバヘッド情報をマッピングした監視制御信号は、下り回線側のＷＤＭ装置１４で増幅されて、上流側終端局２に伝送される。
上流側終端局２の監視制御信号送受信部１２３は、上り回線のＳＯＮＥＴフレームのオーバヘッド情報がマッピングされた監視制御信号受信して、ＯＨ情報生成・抽出部１２２に送出する。ＯＨ情報生成・抽出部１２２は、受取った監視制御信号から、上り回線のＳＯＮＥＴフレームのオーバヘッド情報を抽出する。抽出した上り回線のＳＯＮＥＴフレームのオーバヘッド情報は、トランスパアレント処理部１２１に送出される。
トランスパアレント処理部１２１は、二つの上り回線のＳＯＮＥＴフレームのオーバヘッド情報を受取る。一つは、ＯＨ情報生成・抽出部１２２からのオーバヘッド情報であり、他の一つは、上り回線の受信側ＳＯＮＥＴ／ＤＷインタフェース盤１５のＯＨＢ抽出部１３２１が抽出した主信号のオーバヘッドである。
トランスパアレント処理部１２１は、
▲１▼主信号のオーバヘッドを優先する。
▲２▼主回線の状態をみて、主回線が安定なときは、主信号にオーバヘッドを利用し、主回線が不安定なときは、監視制御信号のオーバヘッドを利用する。
▲３▼安定な回線により送信されたオーバヘッドを利用する。
等の方法により、オーバヘッドを選択して利用する。
また、選択されたオーバヘッドは、上り回線の受信側ＳＯＮＥＴ／ＤＷインタフェース盤１５のＳＯＮＥＴフレームのＯＨＢ挿入部１３２２に供給される。
これにより、ＳＯＮＥＴフレームのオーバヘッド情報の伝送を２重化したので、ＳＯＮＥＴフレームのオーバヘッド情報を確実に伝送することができる。
（第３の実施例）
図８及び図９の第３の実施例のシステム構成の例を示す。図８及び図９のシステムは、下流側終端局３、上流側終端局４、上り回線側ＷＤＭ装置２１及び下り回線側ＷＤＭ装置２４から構成されている。上り回線側ＷＤＭ２１及び下り回線側ＷＤＭ装置２４は、中継機能を有し、光波長多重信号の増幅が行われる。しかしながら、上り回線側ＷＤＭ２１及び下り回線側ＷＤＭ装置２４で、増幅が行われない場合であっても、本実施例は実施できる。
図８及び図９のシステムにおける主信号に関する構成及び動作は、図１及び図２の構成及び動作と同様であるので、説明を省略する。
第３の実施例と、第１の実施例と大きく異なる点は、第１の実施例では、監視制御信号が、主信号の伝送と反対方向に伝送されていたのに対し、第３の実施例では、主信号の伝送に対して、監視制御信号が双方向に伝送される点である。
第３の実施例では、監視制御信号を同一ファイバ内で双方向伝送させ、主信号と同一方向には、例えば、光中継器間に対応するＤＷフォーマットでのオーバヘッドをマッピングし、反対方向の監視制御信号には、少なくともＤＣＣを含むＳＯＮＥＴ／ＳＤＨフレームのオーバヘッドをマッピングする。これにより、主信号の片方向伝送時においても、ＤＣＣの双方向伝送を実現でき、装置立上げ時や障害発生時における高度な管理機能を実現できる。
装置構成は、監視制御信号が双方向に伝送される点を除いて、図１及び図２に記載したものと同様である。ここでは、第１の実施例と異なる監視制御信号の伝送について説明する。また、上り回線と下り回線とは、上り回線の構成と下り回線の構成とが対称的にシステム構成されているので、ここでは、上り回線の動作を中心に説明し、下り回線の説明は省略する。
この場合、下流側終端局３は、上り回線におけるＳＯＮＥＴフレームのオーバヘッド情報を、上り回線の上り方向の監視制御回線（実線の太線▲６▼）に多重化して乗せ、上流側終端局４に送信する。また、上流側終端局４は、上り回線におけるＳＯＮＥＴフレームのオーバヘッド情報を、上り回線の下り方向の監視制御回線（実線の細線▲７▼）に多重化して乗せ、下流側終端局３に送信する。
先ず、下流側終端局３から上流側終端局４へ、送出される監視制御信号について説明する。
下流側終端局３におけるＳＯＮＥＴ／ＤＷ監視制御部２２におけるトランスパアレント処理部２２１は、ＳＯＮＥＴ／ＤＷインタフェース盤２０のＯＨＢ抽出部１０２１から供給されたＳＯＮＥＴフレームのオーバヘッド情報を一旦記憶し、同じ内容のオーバヘッド情報を、ＳＯＮＥＴ／ＤＷインタフェース盤１０のＯＨ挿入部１０２３に返すと共に、常時、ＯＨ情報生成・抽出部２２２にも供給する。
ＯＨ情報生成・抽出部２２２は、常時、トランスパアレント処理部２２１から供給されたＳＯＮＥＴフレームのオーバヘッド情報を受けて、上り回線のＳＯＮＥＴフレームのオーバヘッド情報を、監視制御信号にマッピングする。監視制御信号送受信部２２３は、上り回線のＳＯＮＥＴフレームのオーバヘッド情報がマッピングされた監視制御信号を、上り回線側ＷＤＭ装置１４に向けて送信する（実線の太線▲６▼）。
監視制御信号送受信部２２３から送信された上り回線のＳＯＮＥＴフレームのオーバヘッド情報がマッピングした監視制御信号は、上り回線側のＷＤＭ装置２１で増幅されて、上流側終端局４に伝送される。
上流側終端局４の監視制御信号送受信部２２３は、上り回線のＳＯＮＥＴフレームのオーバヘッド情報がマッピングされた監視制御信号受信して、ＯＨ情報生成・抽出部２２２に送出する。ＯＨ情報生成・抽出部２２２は、受取った監視制御信号から、上り回線のＳＯＮＥＴフレームのオーバヘッド情報を抽出する。抽出した上り回線のＳＯＮＥＴフレームのオーバヘッド情報は、トランスパアレント処理部２２１に送出される。
トランスパアレント処理部２２１は、二つの上り回線のＳＯＮＥＴフレームのオーバヘッド情報を受取る。一つは、ＯＨ情報生成・抽出部２２２からのオーバヘッド情報であり、他の一つは、上り回線の受信側ＳＯＮＥＴ／ＤＷインタフェース盤２５のＯＨＢ抽出部１３２１が抽出した主信号のオーバヘッドである。
トランスパアレント処理部１２１は、一つのオーバヘッドを選択して利用する。
また、選択されたオーバヘッドは、上り回線の受信側ＳＯＮＥＴ／ＤＷインタフェース盤２５のＳＯＮＥＴフレームのＯＨＢ挿入部１３２２に供給される。
次いで、上流側終端局４から、下流側終端局３へ送出される監視制御信号について説明する。
上流側終端局４は、上流側終端局４におけるＯＨ情報生成・抽出部２２２で生成された上り回線におけるＳＯＮＥＴフレームのオーバヘッド情報を、上り回線の下り方向の監視制御回線に多重化して乗せ、下流側終端局３に送信する（実線の細線▲７▼）。
下流側終端局３の監視制御信号送受信部２２３は、上り回線のＳＯＮＥＴフレームのオーバヘッド情報がマッピングされた監視制御信号受信して、ＯＨ情報生成・抽出部２２２に送出する。ＯＨ情報生成・抽出部２２２は、受取った監視制御信号から、上り回線のＳＯＮＥＴフレームのオーバヘッド情報を抽出する。抽出した上り回線のＳＯＮＥＴフレームのオーバヘッド情報は、トランスパアレント処理部２２１に送出される。トランスパアレント処理部２２１は、受けとった上り回線のＳＯＮＥＴフレームのオーバヘッド情報を利用する。
なお、上記説明では、下流側終端局３から上流側終端局４に、又は上流側終端局４から下流側終端局３に、それぞれ、上り回線におけるＳＯＮＥＴフレームのオーバヘッド情報を送信する場合について説明した。
しかしながら、次のような態様であってもよい。
▲１▼下流側終端局３から上流側終端局４には、上り回線におけるＳＯＮＥＴフレームのオーバヘッド情報を送信し、上流側終端局４から下流側終端局３には、上り回線におけるＳＯＮＥＴフレームに係るオーバヘッド情報を送信する。
▲２▼下流側終端局３から上流側終端局４には、上り回線におけるＳＯＮＥＴフレームのオーバヘッド情報の内、監視制御に関係する信号を送信し、上流側終端局４から下流側終端局３には、監視制御信号に係るオーバヘッド情報を送信する。
▲３▼下流側終端局３から上流側終端局４には、上り回線におけるＤＷフレームのオーバヘッド情報を送信し、上流側終端局４から下流側終端局３には、ＳＯＮＥＴフレームのＤＣＣ情報を含むオーバヘッド情報を送信する。
また、▲１▼又は▲２▼の場合、下流側終端局３から上流側終端局４に送信されるオーバヘッド情報として、上り回線で送信される主信号に含まれるオーバヘッド情報を利用してもよい。
これにより、下流側終端局３から上流側終端局４に送信される監視制御信号の送信を省くことができる。
また、第３の実施例によれば、オーバヘッド情報の双方向伝送が、主信号の片方向伝送（上り方向）にて完結しており、終端局１、２間でみた場合に、装置内でＤＣＣを利用した管理が実施可能となる。
また、上り、下りともに、独立したネットワークマネジメントが実現できる。
（ＤＷ）
ＤＷは、ネットワークの容量の拡大を図るために考えられたネットワークレイヤである。これによれば、図１０に示すように、ＳＯＮＥＴ／ＳＤＨフレーム信号、イーサネットフレーム信号、ＡＴＭ（Ａｓｙｎｃｈｒｏｎｏｕｓ  Ｔｒａｎｓｆｅｒ  Ｍｏｄｅ）フレーム信号等をＤＷでラッピングすることにより、ＷＤＭネットワークで、信号のやり取りを行うことが可能となる。
図１１に基づいて、ＤＷのラッピングにおけるレイヤ（このレイヤをＯＴＮ（Ｏｐｔｉｃａｌ  Ｔｒａｎｓｐｏｒｔ  Ｎｅｔｗｏｒｋ）という）を説明する。
クライアント（データ、例えば、ＳＯＮＥＴ  ＳＴＳ−４８ｃ等）にヘッダ６５が付加されてＯＣｈ  ペイロード  ユニットが生成され、ＯＣｈ  ペイロードユニットにヘッダ６６が付加されて、ＯＣｈ  データ  ユニットが生成され、ＯＣｈ  データ  ユニットに、ヘッダ６７とＦＥＣ（順方向誤り訂正）６４が付加されてＯＣｈ  トランスポート  ユニットが生成される。このＯＣｈ  トランスポート  ユニットが光波長多重信号として、光回線を伝送する。
図１２に、中継の様子を示す。トランスポンダ７１、７２に供給されたパケットフレームは、トランスポンダ７１、７２により、ＯＣｈ  トランスポート  ユニットに変換され、多重装置（ＭＵＸ）７５で多重され、光増幅器（ＩＬＡ）で光増幅され、多重分離装置（ＤＭＵＸ）で、多重分離が行われ、トランスポンダ７３、７４で、パケットフレームに変換されて出力される。
図１２におけるトランスポンダ７１〜７４は、図１、図２、図８及び図９におけるＤＷインタフェース部に相当する。
ヘッダ６５は、トランスポンダ７１、７２の入力端で付加され、トランスポンダ７３、７４の出力端で除去されている。また、ヘッダ６６は、トランスポンダ７１、７２の処理部で付加され、トランスポンダ７３、７４の処理部で除去されている。また、ヘッダ６７は、トランスポンダ７１、７２の出力端で付加され、トランスポンダ７３、７４の入力端で除去されている。
図１３（Ａ）に、ＯＣｈ  トランスポート  ユニットのフレーム構成を示す。ヘッダ６４、６５、６６、６７、ＯＣｈ  データ  ユニット６３及びＦＥＣ６４のバイト配置が理解できる。
図１３（Ｂ）に、ＯＣｈ  データ  ユニットにおける１〜１７バイトに挿入される個々のヘッダの名称とその配置を示す。各ヘッダの内容は、図１４に示す通りである。
（監視制御信号）
図１５に、監視制御信号の伝送フォーマットの例を示す。図１５の伝送フォーマットは、図１５（Ａ）に示すように、２４フレームを有するマルチフレームの構成をとっている。各サブフレームは、２４バイトの構成で、２４チャネルの音声データを送信することができる。
また、一つのサブフレームで監視制御信号を伝送する場合のフレーム構成を図１６（Ａ）に示す。ＤＣＣ領域と予約バイトがある。図１６（Ｂ）は、図１６（Ａ）の「ＭＢ」バイトの１マルチ分のバイトを示している。全体で２４バイトの送信能力を有している。
図１７は、図１６のサブフレームの監視制御信号を見易くしたものである。
これによれば、図１７におけるサブフレームの５バイト目から７バイト目のＤＣＣ１〜ＤＣＣ３でＤＣＣデータを送信することができる。また、図１７におけるサブフレームの８バイト目の予約バイト、同じく１７〜２２バイト目の予約バイト、さらに、マルチフレームの内、９〜２４バイト目の予約バイトを、本発明におけるＳＯＮＥＴフレームのオーバヘッド情報等の伝送に使用することができる。
本発明は、監視制御信号に関する冗長性を付与したので、監視制御信号を確実に伝送することができる。
また、オーバヘッド伝送の冗長構成を、システムを大規模に変更することなく実現することができる。また、ＤＣＣ等による双方向伝送を主信号の片方向伝送のシステムで実現できるため、設備コストを大幅に削減することができる。
なお、上記実施例では、ＳＯＮＥＴ／ＳＤＨを例にして説明した。しかしながら、安価に監視制御信号を確実に伝送できる伝送システム及び端局装置を提洪するという観点から、言えば、主信号は、必ずしも、ＳＯＮＥＴ／ＳＤＨのフレームである必要はない。例えば、イーサネットフレーム信号、ＡＴＭフレーム信号であってもよい。なお、本発明は、その他、監視制御用の信号を含むヘッダを有するパケットフレームに適用できる。
本発明は、具体的に開示された実施例に限定されるものではなく、特許請求した本発明の範囲から逸脱することなく、種々の変形例や実施例が考えられる。
【図１】
2004051897.tif 000003
【図２】
2004051897.tif 000004
【図３】
2004051897.tif 000005
【図４】
2004051897.tif 000006
【図５】
2004051897.tif 000007
【図６】
2004051897.tif 000008
2004051897.tif 000009
【図８】
2004051897.tif 000010
【図９】
2004051897.tif 000011
【図１０】
2004051897.tif 000012
【図１１】
2004051897.tif 000013
【図１２】
2004051897.tif 000014
【図１３】
2004051897.tif 000015
【図１４】
2004051897.tif 000016
【図１５】
2004051897.tif 000017
【図１６】
2004051897.tif 000018
【図１７】
2004051897.tif 000019
【国際調査報告】
2004051897.tif 000020
2004051897.tif 000021
2004051897.tif 000022
2004051897.tif 000023